(57)【要約】【課題】  コイル成型工程において、ポリエステルモノフィラメント用平滑剤兼コイル成型機の潤滑油として使用可能な動粘度を持ち、かつ洗浄工程において、水洗（湯洗）によってコイルファスナーから容易に脱落・分散する潤滑剤を提供する。【解決手段】  ベースオイルと界面活性剤とからなり、３０℃における動粘度（ＪＩＳ Ｚ８８０３−１９９１、５．２．３．ウベローデ粘度計による粘度測定法）が５０〜７００ｍｍ2／ｓであるポリエステルモノフィラメントの平滑剤兼コイル成型機の潤滑剤。【選択図】なし【特許請求の範囲】
【請求項１】
コイル成型工程において、ポリエステルモノフィラメントに平滑性を付与し、かつコイル成型機に潤滑性を付与するための潤滑剤であって、ベースオイル（Ａ）と界面活性剤（Ｂ）とからなり、３０℃における動粘度（ＪＩＳ Ｚ８８０３−１９９１、５．２．３．ウベローデ粘度計）が５０〜７００ｍｍ2／ｓであることを特徴とする潤滑剤。
【請求項２】
前記（Ｂ）の含有量（重量％）が、（Ａ）＋（Ｂ）の合計重量に基づき、０．５〜４０である請求項１記載の潤滑剤。
【請求項３】
前記（Ｂ）がノニオン界面活性剤および／またはアニオン界面活性剤からなる請求項１または２記載の潤滑剤。
【請求項４】
前記ノニオン界面活性剤が、脂肪族１価アルコール脂肪酸エステル、脂肪族多価アルコール脂肪酸エステル、脂肪族多価アルコール脂肪酸エステルのアルキレンオキサイド付加物、ポリアルキレングリコール脂肪酸エステル、および脂肪族１価アルコールアルキレンオキサイド付加物からなる群より選ばれる１種または２種以上の混合物である請求項３記載の潤滑剤。
【請求項５】
前記アニオン界面活性剤が脂肪族アルコールの燐酸エステル（塩）である請求項３または４記載の潤滑剤。
【請求項６】
前記（Ａ）が、鉱物油、その精製油、それらの水添油および分解油からなる群より選ばれる１種または２種以上の混合物である請求項１〜５のいずれか記載の潤滑油。
【発明の詳細な説明】
【技術分野】
【０００１】
本発明は、ファスナー用コイル製造用潤滑剤に関する。
【背景技術】
【０００２】
ファスナー用コイルは、ポリエステルモノフィラメントを１６０℃〜１８０℃に加温されたコイル成型機内のスルリュー部を通してコイル状に成型加工したものである。
ファスナー用コイル製造用潤滑剤について記載された先行文献はないが、従来、このポリエステルモノフィラメント用平滑剤兼コイル成型機の潤滑油としては鉱物油等が使用されていた。
【発明の開示】
【発明が解決しようとする課題】
【０００３】
しかし鉱物油では、成型後の洗浄工程で油剤が残り、最終製品であるファスナーの梱包材料等を汚すトラブルがあった。
【課題を解決するための手段】
【０００４】
本発明者等は、上記問題を解決すべく鋭意検討を重ねた結果、ベースオイルと界面活性剤とからなり、特定の動粘度範囲である油剤が、ポリエステルモノフィラメントに平滑性と成型機に潤滑性を付与し、かつ成型後における洗浄工程でファスナーより容易に脱落、分散除去されることを見出し、本発明を完成するに至った。
【０００５】
すなわち本発明は、ベースオイル（Ａ）と界面活性剤（Ｂ）とからなり、３０℃における動粘度（ＪＩＳ Ｚ８８０３−１９９１、５．２．３．ウベローデ粘度計）が５０〜７００ｍｍ2／ｓであるファスナー用コイル製造用潤滑剤である。
【発明の効果】
【０００６】
本発明の潤滑剤は、ポリエステルモノフィラメントのコイル成型に使用可能であり、コイルファスナー成型後の湯洗または水洗工程において、成型時にコイルに付着した油剤が容易に脱落、分散するという効果を奏する。
【発明を実施するための最良の形態】
【０００７】
本発明の潤滑剤は、ベースオイル（Ａ）と界面活性剤（Ｂ）とからなる。３０℃における動的粘度（ＪＩＳ Ｚ８８０３−１９９１、５．２．３．ウベローデ粘度計による粘度測定法）は通常５０〜７００ｍｍ2／ｓであり、好ましくは７０〜６００ｍｍ2／ｓ、さらに好ましくは１００〜５００ｍｍ2／ｓである。動粘度が５０ｍｍ2／ｓ未満ではコイル成型機の潤滑油としての性能が不十分であり、７００ｍｍ2／ｓを超えるとファスナーに油剤が付着しすぎて平滑剤としての性能が低下する。
【０００８】
本発明におけるベースオイル（Ａ）としては、鉱物油およびその精製油、それらの水添油および／またはそれらの分解油、菜種油、およびひまし油などの動植物油が挙げられる。潤滑剤に使用した場合、３０℃における潤滑剤の動粘度が上記範囲になるものであれば特に制限はないが、好ましいものは鉱物油およびその精製油、もしくはそれらの水添油および分解油である。これらは１種を用いても、または２種以上を混合して用いてもかまわない。
【０００９】
本発明における界面活性剤（Ｂ）としては、アニオン界面活性剤（Ｂ１）、カチオン界面活性剤（Ｂ２）、両性界面活性剤（Ｂ３）、ノニオン界面活性剤（Ｂ４）、のいずれでもよく、ベースオイル（Ａ）に溶解し、洗浄工程においてベースオイルをファスナーから脱落、分散できるもので有れば制限なく使用できる。これらは１種で用いても、２種以上を混合して用いてもよい。
【００１０】
アニオン界面活性剤（Ｂ１）としては、カルボン酸（塩）（Ｂ１−１）、スルホン酸（塩）（Ｂ１−２）、硫酸エステル（塩）（Ｂ１−３）、燐酸エステル（塩）（Ｂ１−４）が挙げられる。
【００１１】
（Ｂ１−１）としては、炭素数８〜２４の高級脂肪酸（塩）（Ｂ１−１Ａ）、炭素数８〜２４の高級アルコールのカルボキシアルキル（炭素数１〜３）エーテル（塩）（Ｂ１−１Ｂ）、炭素数８〜２４の高級アルコールのアルキレンオキサイド（以下ＡＯと略記する）付加物のカルボキシアルキル（炭素数１〜３）エーテル（塩）（Ｂ１−１Ｃ）が挙げられる。これらを構成する高級脂肪酸および高級アルコールは天然物由来のものでも合成されたものでも、どちらでもよく、さらにはカルボキシル基または水酸基の結合位置は炭化水素基の末端でも側鎖でもどちらでもよい。これらのうち好ましいものは炭素数８〜１８の（Ｂ１−１Ａ）、（Ｂ１−１Ｂ）、（Ｂ１−１Ｃ）である。
好ましいものの具体例としては、カプリン酸、ラウリン酸、ミリスチン酸、パルミチン酸、ステアリン酸などのナトリウム塩、カリウム塩、アンモニウム塩、アルカノールアミン塩、オクチルアルコールカルボキシメチル化ナトリウム塩、デシルアルコールカルボキシメチル化ナトリウム塩、ラウリルアルコールカルボキシメチル化ナトリウム塩、トリデカノールカルボキシメチル化ナトリウム塩、ラウリルアルコールエチレンオキサイド（以下ＥＯと略記する）２モル付加物のカルボキシメチル化物のナトリウム塩、ミリスチルアルコールＥＯ３モル付加物のカルボキシメチル化物のナトリウム塩、などが挙げられる。
【００１２】
（Ｂ１−２）としては、炭素数８〜２４のα−オレフィンのスルホン酸化物（塩）（Ｂ１−２Ａ）、炭素数８〜２４の高級アルコールのスルホコハク酸（モノ、ジ）エステル（塩）（Ｂ１−２Ｂ）、炭素数８〜１４のアルキル基を有するアルキルベンゼンスルホン酸（塩）（Ｂ１−２Ｃ）、石油スルホネート（塩）（Ｂ１−２Ｄ）が挙げられる。尚、（Ｂ１−２Ａ）、（Ｂ１−２Ｂ）を構成する疎水基は、天然物由来のものでも合成されたものでもどちらでもよい。これらのうち好ましいものは炭素数８〜１８の（Ｂ１−２Ａ）、（Ｂ１−２C）、および炭素数８〜１８の高級アルコールの（Ｂ１−２Ｃ）である。
好ましいものの具体例としては、１−オクテン、１−デセン、１−ドデセン等のスルホン酸化物のナトリウム塩、ジオクチルスルホコハク酸ナトリウム塩、ジトリデシルスルホコハク酸ナトリウム塩、オクチルベンゼンスルホン酸ナトリウム塩、ドデシルベンゼンスルホン酸ナトリウム塩などが挙げられる。
【００１３】
（Ｂ１−３）としては、高級アルコール硫酸エステル（塩）［炭素数８〜１８の脂肪族アルコールの硫酸エステル（塩）］、高級アルキルエーテル硫酸エステル（塩）［炭素数８〜１８の脂肪族アルコールのＥＯ１〜１０モル付加物の硫酸エステル（塩）］、硫酸化油（天然の不飽和油脂または不飽和のロウをそのまま硫酸化して中和したもの）、硫酸化脂肪酸エステル（不飽和脂肪酸の低級アルコールエステルを硫酸化して中和したもの）及び硫酸化オレフィン（炭素数１２〜１８のオレフィンを硫酸化して中和したもの）が挙げられる。
好ましいものの具体例としては、ロート油、硫酸化牛脂、硫酸化落花生油、硫酸化オレイン酸ブチル塩、硫酸化リシノレイン酸ブチル塩などが挙げられる。
【００１４】
（Ｂ１−４）としては、炭素数８〜２４の高級アルコールの燐酸（モノ、ジ）エステル（塩）（Ｂ１−４Ａ）、炭素数８〜２４の高級アルコールのＡＯ付加物の燐酸（モノ、ジ）エステル（塩）（Ｂ１−４Ｂ）が挙げられる。なお、これらを構成する高級アルコールは天然物由来のものでも合成されたものでもどちらでもよい。これらのうち、好ましいものは炭素数８〜１８の高級アルコールのＡＯ付加物の燐酸（モノ、ジ）エステル（塩）である。
好ましいものの具体例としては、オクチルアルコールリン酸モノエステルカリウム塩、オクチルアルコールリン酸ジエステルジカリウム塩、ラウリルアルコールリン酸モノエステルモノカリウム塩、ラウリルアルコールリン酸ジエステルジカリウム塩、イソステアリルアルコールのＥ０５モル付加物のリン酸モノエステルカリウム塩、イソステアリルアルコールのＥ０５モル付加物のリン酸ジエステルジカリウム塩などが挙げられる。
【００１５】
（Ｂ１−１Ｃ）、（Ｂ１−３Ｂ）に使用されるＡＯとしては、ＥＯ、プロピレンオキサイド（以下ＰＯと略記する）およびブチレンオキサイドが挙げられる。これらのうち好ましいものはＥＯおよびＰＯである。また、高級アルコール１モルに対するＡＯの付加モル数としては、通常１〜５０モルであり、好ましくは１〜２０モルである。
【００１６】
アニオン界面活性剤（Ｂ１）が塩の形をとる場合、通常ナトリウム塩、カリウム塩、アンモニウム塩およびアルカノールアミン（モノエタノールアミン、ジエタノールアミン、トリエタノールアミン、モノイソプロパノールアミン、ジイソプロパノールアミン、トリイソプロパノールアミン等）塩である。これらのうち好ましいものは、ナトリウム塩、カリウム塩、アルカノール塩である。
【００１７】
カチオン界面活性剤（Ｂ２）としては、例えば下記一般式（１）で示される第４級アンモニウム塩型カチオン界面活性剤（Ｂ２−１）、下記一般式（２）で示されるアミン塩型カチオン界面活性剤（Ｂ２−２）、およびこれらの２種以上の混合物が挙げられる。
【００１８】
【化１】
2005264142.tif 000002
【化２】
2005264142.tif 000003
［式中、Ｒ1、Ｒ2、Ｒ3はそれぞれ独立に炭素数１〜３０のアルキル基、ヒドロキシアルキル基、炭素数２〜３０のアルケニル基、ポリオキシアルキレン基（アルキレン基の炭素数：２〜４）、および式Ｒ5−Ｔ−Ｒ6− で示される基（Ｒ5は炭素数１〜３０の脂肪酸からＣＯＯＨ基を除いた残基、Ｒ6は炭素数１〜４のアルキレン基またはヒドロキシアルキレン基、Ｔは−ＣＯＯ−または−ＣＯＮＨ−を表す。）から選ばれる基、Ｒ4は炭素数１〜３０のアルキル基、ヒドロキシアルキル基、炭素数２〜３０のアルケニル基、またはポリオキシアルキレン基；Ｒ1とＲ2とＲ3とのいずれか２つが結合してＮとともに複素環を形成していてもよい；Ｑ- は無機酸アニオンまたは有機酸アニオン、ＱＨは無機酸または有機酸を表す。］
【００１９】
Ｒ1、Ｒ2、Ｒ3の炭素数１〜３０のアルキル基としては、直鎖状、分岐状のいずれでもよく、メチル基、エチル基、ｎ−およびｉ−のプロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、ヘキコシル基およびドコシル基ならびに２−エチルデシル基等；炭素数２〜３０のアルケニル基としては、直鎖状、分岐状のいずれでもよく、ｎ−およびｉ−のプロペニル基、ヘキセニル基、ヘプテニル基、オクテニル基、デセニル基、ウンデセニル基、ドデセニル基、テトラデセニル基、ペンタデセニル基、ヘキサデセニル基、ヘプタデセニル基、オクタデセニル基およびノナデセニル基ならびに２−エチルデセニル基等が挙げられる。
【００２０】
Ｒ1、Ｒ2、Ｒ3の炭素数１〜３０のヒドロキシアルキル基としては、直鎖状、分岐状のいずれでもよく、ヒドロキシメチル基、ヒドロキシエチル基、ｎ−およびｉ−のヒドロキシプロピル基、ヒドロキシブチル基、ヒドロキシヘキシル基、ヒドロキシオクチル基、ヒドロキシデシル基、ヒドロキシドデシル基、ヒドロキシテトラデシル基、ヒドロキシヘキサデシル基およびヒドロキシオクタデシル基等が挙げられる。
これらのうち好ましいものは、炭素数１〜２４のアルキル基、ヒドロキシアルキル基、炭素数２〜２４のアルケニル基が好ましい。
Ｒ4の炭素数１〜３０のアルキル基、ヒドロキシアルキル基、炭素数２〜３０のアルケニル基、またはポリオキシアルキレン基としては、Ｒ1、Ｒ2、Ｒ3で挙げたものと同様である。これらのうち好ましいものは、炭素数１〜４のアルキル基およびヒドロキシアルキル基である。
Ｒ1とＲ2とＲ3とのいずれか２つが結合してＮとともに複素環、脂環式化合物を形成しているものとしては、例えばイミダゾリン環、イミダゾール環、ピリジン環、ピリミジン環、ピペリジン環及びモルホリン環が挙げられる。
【００２１】
残基Ｒ5を構成する炭素数１〜３０の脂肪酸としては、直鎖状、分岐状のいずれでもよく、ギ酸、酢酸、プロピオン酸、酪酸、イソ酪酸、吉草酸、カプロン酸、エナント酸、カプリル酸、ベラルゴン酸、ラウリン酸、ミリスチン酸、ステアリン酸、イソステアリン酸、ベヘン酸、２−エチルヘキサン酸等が挙げられる。これらのうち好ましいものは、炭素数６〜２４の脂肪酸である。
【００２２】
Ｒ6の炭素数１〜４のアルキレン基としては、直鎖状、分岐状のいずれでもよく、メチレン基、エチレン基、ｎ−およびｉ−のプロピレン基、ブチレン基等；炭素数１〜４のヒドロキシアルキレン基としては、直鎖状、分岐状のいずれでもよく、ヒドロキシメチレン基、ヒドロキシエチレン基、ｎ−およびｉ−のヒドロキシプロピレン基、ヒドロキシブチレン基等が挙げられる。
これらのうち好ましいものは、炭素数１〜４のアルキレン基である。
【００２３】
アニオンＱ- を形成する酸、ＱＨとしては次のものが挙げられる。
（ｑ１）無機酸
ハロゲン化水素酸（塩酸、臭素酸、沃素酸等）、硝酸、炭酸、燐酸等；
（ｑ２）有機酸
（ｑ２−ａ）アルキル硫酸エステル
メチル硫酸、エチル硫酸等の炭素数１〜４のアルキル硫酸エステル；
（ｑ２−ｂ）アルキル燐酸エステル
ジメチル燐酸、ジエチル燐酸等の炭素数１〜８のモノおよび／またはジアルキル燐酸エステル；
【００２４】
（ｑ２−ｃ）炭素数１〜３０の脂肪族モノカルボン酸
飽和モノカルボン酸（残基がＲ5を構成する脂肪酸として挙げたもの等）、不飽和モノカルボン酸（アクリル酸、メタクリル酸、オレイン酸等）、および脂肪族オキシカルボン酸（グリコール酸、乳酸、オキシ酪酸、オキシカプロン酸、リシノール酸、オキシステアリン酸、グルコン酸等）；
（ｑ２−ｄ）炭素数７〜３０の芳香族または複素環モノカルボン酸
芳香族モノカルボン酸（安息香酸、ナフトエ酸、ケイ皮酸等）、芳香族オキシカルボン酸（サリチル酸、ｐ−オキシ安息香酸、マンデル酸等）、および複素環モノカルボン酸（ピロリドンカルボン酸等）；
【００２５】
（ｑ２−ｅ）２〜４価のポリカルボン酸
炭素数２〜３０の直鎖状または分岐状の脂肪族ポリカルボン酸［飽和ポリカルボン酸（シュウ酸、マロン酸、コハク酸、グルタル酸、アジピン酸、ピメリン酸、スベリン酸、アゼライン酸、セバチン酸等）、炭素数４〜３０の不飽和ポリカルボン酸（マレイン酸、フマール酸、イタコン酸等）］；炭素数４〜２０の脂肪族オキシポリカルボン酸（リンゴ酸、酒石酸、クエン酸等）；炭素数８〜３０の芳香族ポリカルボン酸［ジカルボン酸〔フタル酸、イソフタル酸、テレフタル酸、２，６−ナフタレンジカルボン酸およびビフェニルジカルボン酸（２，２’−、３，３’−および／または２，７−体）等〕、トリもしくはテトラカルボン酸（トリメリット酸、ピロメリット酸等）］；硫黄を含有する炭素数４〜３０のポリカルボン酸（チオジプロピオン酸等）；
（ｑ２−ｆ）炭素数２〜３０のアミノ酸
アスパラギン酸、グルタミン酸、システィン酸等のアミノ酸；
（ｑ２−ｇ）有機酸変性シリコーン
ジオルガノポリシロキサンのメチル基の一部が、−Ｒ7ＣＯＯＨ基および／または−Ｒ7ＳＯ3Ｈ基 で置換した有機酸。Ｒ7は炭素数２〜５のアルキレン基であり、残りはメチル基、フェニル基、炭素数２〜２０のアルキル基または−(ＣＨ2)p−Ｐｈ（Ｐｈはフェニル基、ｐは１〜４の整数を示す）基でもよい。
【００２６】
（ｑ２−ｈ）脂肪族アルコール（炭素数８〜２４）のカルボキシメチル化物
オクチルアルコールのカルボキシメチル化物、デシルアルコールのカルボキシメチル化物、ラウリルアルコールのカルボキシメチル化物、のカルボキシメチル化物およびトリデカノール（協和発酵製）のカルボキシメチル化物等；
（ｑ２−ｉ）脂肪族アルコール（炭素数８〜２４）のＥＯおよび／またはＰＯ１〜２０モル付加物のカルボキシメチル化物、オクチルアルコールＥＯ３モル付加物のカルボキシメチル化物、ラウリルアルコールＥＯ２．５モル付加物のカルボキシメチル化物、イソステアリルアルコールＥＯ３モル付加物のカルボキシメチル化物、およびトリデカノールＥＯ２モル付加物のカルボキシメチル化物等；
【００２７】
これらのうちで好ましいものは、メチル硫酸、エチル硫酸、アジピン酸、グルコン酸、とくにイソステアリン酸である。
【００２８】
一般式（１）で示される（Ｂ２−１）としては、アルキル（炭素数１〜３０）トリメチルアンモニウム塩（例えば、ラウリルトリメチルアンモニウムクロライド、ラウリルトリメチルアンモニウムイソステアリン酸塩、ラウリルトリメチルアンモニウムカルボキシ変性シリコーン塩等）、ジアルキル（炭素数１〜３０）ジメチルアンモニウム塩［例えば、ジデシルジメチルアンモニウムクロライド、ジオクチルジメチルアンモニウムブロマイド、ジデシルジメチルアンモニウムイソステアレート、ジ（ジデシルジメチルアンモニウム）アジペート、ジデシルジメチルアンモニウムカルボキシ変性シリコーン塩、ジデシルジメチルアンモニウムラウリルアルコールＥＯ１〜５モル付加物のカルボキシメチル化物の塩等］、窒素環含有第４級アンモニウム塩（例えば、セチルピリジニウムクロライド等）、ポリ（付加モル数２〜１５）オキシアルキレン（炭素数２〜４）鎖含有第４級アンモニウム塩［例えば、ポリ（付加モル数３）オキシエチレントリメチルアンモニウムクロライド等］、アルキル（炭素数１〜３０）アミドアルキル（炭素数１〜１０）ジアルキル（炭素数１〜４）メチルアンモニウム塩（例えば、ステアラミドエチルジエチルメチルアンモニウムメトサルフェート等）等が挙げられる。
これらのうち好ましいのはアルキルトリメチルアンモニウムの有機酸塩およびとくにジアルキルジメチルアンモニウムの有機酸塩である。
【００２９】
一般式（２）で示される（Ｂ２−２）としては、３級アミンを無機酸（例えば、塩酸、硝酸、硫酸、ヨウ化水素酸等）または有機酸（例えば、酢酸、ギ酸、蓚酸、乳酸、グルコン酸、アジピン酸、アルキル硫酸等）で中和して得られるものが使用できる。炭素数３〜９０の脂肪族３級アミン（例えば、トリエチルアミン、エチルジメチルアミン、ジデシルメチルアミン、Ｎ，Ｎ，Ｎ’，Ｎ’−テトラメチルエチレンジアミン、ラウラミドプロピルジメチルアミン等）、炭素数３〜９０の脂環式（含窒素ヘテロ環を含む）３級アミン（例えば、Ｎ−メチルピロリジン、Ｎ−メチルピペリジン、Ｎ−メチルモルホリン、４−ジメチルアミノピリジン、Ｎ−メチルイミダゾール、４，４’−ジピリジル等）、炭素数３〜９０のヒドロキシアルキル基含有３級アミン（例えば、トリエタノールアミンモノステアリン酸エステル、Ｎ−ステアラミドエチルジエタノールアミン等）等の無機酸塩または有機酸塩等が挙げられる。
これらのうち好ましいのは、脂肪族アミンの無機酸塩および有機酸塩である。
【００３０】
両性界面活性剤（Ｂ３）としては、ベタイン型両性界面活性剤（Ｂ３−１）、アミノ酸型両性界面活性剤（Ｂ３−２）、スルホン酸塩型両性界面活性剤（Ｂ３−３）、リン酸エステル型両性界面活性剤（Ｂ３−４）および硫酸エステル型両性界面活性剤（Ｂ３−５）等が使用でき、例えば米国特許第４，３３１，４４７号および同第３，９２９，６７８号各明細書に記載のものが挙げられる。
これらの両性界面活性剤（Ｂ３）のうち好ましいものとしては、例えば下記一般式（３）、（４）または（５）で示されるもの、およびこれらの２種以上の混合物が挙げられる。
【化３】
2005264142.tif 000004
【化４】
2005264142.tif 000005
【化５】
2005264142.tif 000006
［式中、Ｒ8、Ｒ9、Ｒ10はそれぞれ独立に炭素数１〜３０のアルキル基、ヒドロキシアルキル基、炭素数２〜３０のアルケニル基、および式Ｒ12−Ｔ−Ｒ13−で示される基（Ｒ12は炭素数１〜３０の脂肪酸からＣＯＯＨ基を除いた残基、Ｒ13は炭素数１〜４のアルキレン基またはヒドロキシアルキレン基、Ｔは−ＣＯＯ−または−ＣＯＮＨ−を表す。）から選ばれる基；Ｒ11は炭素数１〜４のアルキレン基またはヒドロキシアルキレン基；Ｘ-はＣＯＯ-またはＳＯ3-；Ｒ14は炭素数１〜３０のアルキル基、ヒドロキシアルキル基、または炭素数２〜３０のアルケニル基；Ｒ15は炭素数１〜４のアルキレン基またはヒドロキシアルキレン基；Ｒ15は炭素数１〜４のアルキレン基またはヒドロキシアルキレン基；Ｒ16は水素原子または式Ｒ15ＣＯＯＭ1/mで示される基；Ｒ17は水素原子、炭素数１〜３０のアルキル基または炭素数２〜３０のアルケニル基；Ｍは水素原子、アルカリ金属、アルカリ土類金属またはアミンカチオンであってＭが複数の場合は同一でも異なっていてもよい；ｍはＭの価数を表し、１または２である。］
【００３１】
Ｒ8、Ｒ9、Ｒ10、Ｒ14およびＲ17の炭素数１〜３０のアルキル基、またはヒドロキシアルキル基としてはＲ1、Ｒ2、Ｒ3に挙げたものと同様である。
これらのうち好ましいものは、Ｒ8およびＲ14は炭素数６〜２４のアルキル基、アルケニル基、ヒドロキシアルキル基およびＲ12−ＣＯＮＨＲ13−基であり、Ｒ9、Ｒ10およびＲ17は炭素数１〜２４のアルキル基、ヒドロキシアルキル基および炭素数２〜２４のアルケニル基である。
【００３２】
残基Ｒ12を構成する炭素数１〜３０の脂肪酸としてはＲ5と同様の脂肪酸であり、Ｒ11、Ｒ13およびＲ15の炭素数１〜４のアルキレン基としてはＲ6と同様である。これらのうち好ましいものはＲ13は炭素数１〜４のアルキレン基であり、Ｒ11およびＲ15は炭素数１〜３のアルキレン基である。
Ｘ-のうち好ましいものはＣＯＯ-である。
【００３３】
Ｒ16は水素原子またはＲ15ＣＯＯＭ1/m基である。これらのうち好ましいものは、Ｒ16が水素原子のものとＲ16がＲ15ＣＯＯＭ1/m基のものとの混合物である。
Ｍとしては、水素原子、アルカリ金属（例えば、リチウム、カリウム、ナトリウム等）、アルカリ土類金属（例えば、カルシウム、マグネシウム等）、アミンカチオン（例えば、モノ−、ジ−およびトリ−のエタノールアミンカチオン、２−エチルヘキシルアミンカチオン等）が挙げられる。これらのうち好ましいものは、水素原子およびアルカリ金属である。
【００３４】
一般式（３）で示される（Ｂ３−１）としては、アルキル（炭素数１〜３０）ジメチルベタイン（例えば、ステアリルジメチルベタイン、ラウリルジメチルベタイン等）、アルキル（炭素数１〜３０）アミドアルキル（炭素数１〜４）ジメチルベタイン（例えば、ヤシ油脂肪酸アミドプロピルジメチルベタイン、ラウラミドプロピルジメチルベタイン、ステアラミドプロピルジメチルベタイン等）、アルキル（炭素数１〜３０）ジヒドロキシアルキル（炭素数１〜３０）ベタイン（例えば、ラウリルジヒドロキシエチルベタイン等）、スルフォベタイン型両性界面活性剤（例えば、ペンタデシルジメチルタウリン等）等が挙げられる。これらのうち好ましいものはアルキルジメチルベタイン、アルキルアミドアルキルジメチルベタインである。
【００３５】
一般式（４）で示される（Ｂ３−２）としては、アラニン型［アルキル（炭素数１〜３０）アミノプロピオン酸型、アルキル（炭素数１〜３０）イミノジプロピオン酸型等］両性界面活性剤（例えば、ステアリルアミノプロピオン酸ナトリウム、β−ラウリルアミノプロピオン酸ナトリウム、Ｎ−ラウリル−β−イミノジプロピオン酸ナトリウム、Ｎ−ラウリル−β−イミノジプロピオン酸カリウム等）、グリシン型［アルキル（炭素数１〜３０）アミノ酢酸型等］両性界面活性剤（例えば、ラウリルアミノ酢酸ナトリウム等）が挙げられる。これらのうち好ましいのは、アルキルアミノプロピオン酸型両性界面活性剤、アルキルイミノジプロピオン酸型両性界面活性剤である。
【００３６】
一般式（５）で示される（Ｂ３−３）としては、例えば、アルキル（炭素数１〜３０）タウリン型（Ｃ15Ｈ31ＮＨＣＨ2ＣＨ2ＳＯ3Ｎａ、Ｃ17Ｈ35ＮＨＣＨ2ＣＨ2ＣＨ2ＳＯ3Ｎａ等）両性界面活性剤等が挙げられる。
【００３７】
（Ｂ３−４）および（Ｂ３−５）としては、下記一般式（６）で与えられるアミノアルコールのリン酸および硫酸（モノまたはジ）エステルを用いることができる。
【化６】
2005264142.tif 000007
［式中、Ｒ18は炭素数１〜３０のアルキル基、炭素数２〜３０のアルケニル基、および式Ｒ22−Ｔ−Ｒ23−で示される基（Ｒ22は炭素数１〜３０の脂肪酸からＣＯＯＨ基を除いた残基、Ｒ19は式Ｒ20−（ＡＯ）ｎ−ＯＨで表される基；Ｒ20は炭素数１〜４のアルキレン基；Ｒ21はＲ18で挙げたものと同様であるか水素、またはＲ19で表される基である。］
【００３８】
一般式（６）においてＲ18を構成する炭化水素としてはＲ1、Ｒ2、Ｒ3、Ｒ4に挙げたものと同様であり、残基Ｒ22を構成する炭素数１〜３０の脂肪酸としてはＲ5と同様の脂肪酸であり、Ｒ23の炭素数１〜４のアルキレン基としてはＲ6と同様である。これらのうち好ましいものとしては、Ｒ13は炭素数１〜４のアルキレン基であり、Ｒ11およびＲ15は炭素数１〜３のアルキレン基である。
【００３９】
式Ｒ20−（ＡＯ）ｎ−ＯＨにおいて、ｎは、通常０又は１〜１０であり式中のＡＯは、オキシアルキレン基を表す。ＡＯの炭素数は、通常２、３及び／又は４、好ましくは２及び／又は３である。
【００４０】
（Ｂ３−４）としては、例えば、エチルアミノエタノールモノホスフェート、ベンジルアミノエタノールモノホスフェート、ブチルアミノエタノールジホスフェート及びベンジルアミノエタノールジホスフェート、ブチルアミノプロパノールモノホスフェート、ブチルアミノエタノールＥＯ６モル付加物のモノホスフェート、ベンジルアミノエタノールＥＯ２モル付加物のジホスフェート、ジメチルアミノエタノールモノホスフェート、ジエチルアミノプロパノールモノホスフェート、ジブチルアミノエタノールモノホスフェート、ジメチルアミノエタノールジホスフェート、ジエチルアミノプロパノールジホスフェート及びジブチルアミノエタノールジホスフェート、ジエチルアミノプロパノールＥＯ２モルＰＯ２モルブロック付加物のモノホスフェート、ジブチルアミノプロパノールＥＯ２モルＰＯ２モルランダム付加物のモノホスフェート、ジエチルアミノプロパノールＥＯ２モル付加物のモノホスフェート等が挙げられる。
【００４１】
（Ｂ３−５）としては、例えばブチルアミノエタノールモノサルフェート、ベンジルアミノエタノールモノサルフェート、ブチルアミノエタノールジサルフェート及びベンジルアミノエタノールジサルフェート、ブチルアミノエタノールＥＯ６モル付加物のモノサルフェート、ベンジルアミノエタノールＥＯ２モル付加物のジサルフェート、ジメチルアミノエタノールモノサルフェート、ジエチルアミノプロパノールモノサルフェート、ジメチルアミノエタノールジサルフェート、ジエチルアミノプロパノールジサルフェート及びジブチルアミノエタノールジサルフェート、ジブチルアミノプロパノールＥＯ２モルＰＯ２モルランダム付加物のモノサルフェート、ジブチルアミノエタノールＥＯ１０モル付加物のモノサルフェート、ジエチルアミノプロパノールＥＯ２モル付加物のモノサルフェート等が挙げられる。
これらの両性界面活性剤（Ｂ３）のうち、好ましいのは（Ｂ３−１）および（Ｂ３−２）である。
好ましいものの具体例としては、ステアリルジメチルベタイン、ラウリルジメチルベタインアルキルジメチルベタイン、ヤシ油脂肪酸アミドプロピルジメチルベタイン、ラウラミドプロピルジメチルベタイン、ステアラミドプロピルジメチルベタインアルキルアミドアルキルジメチルベタイン、ステアリルアミノプロピオン酸ナトリウム、β−ラウリルアミノプロピオン酸ナトリウム、Ｎ−ラウリル−β−イミノジプロピオン酸ナトリウム、Ｎ−ラウリル−β−イミノジプロピオン酸カリウムなどが挙げられる。
【００４２】
本発明におけるノニオン界面活性剤（Ｂ４）としては、炭素数１〜２４のアルコールのＡＯ付加物（Ｂ４−１）、脂肪酸エステル化合物（Ｂ４−２）などがあげられる。
【００４３】
（Ｂ４−１）を構成する炭素数１〜２４のアルコールとしては合成アルコール、天然アルコールなどは特に限定しないが、以下のものが挙げられる。
（ｘ１）炭素数１〜２４肪族１価アルコ−ル［脂肪族飽和１価アルコール（例えば、メタノール、２−エチルヘキシルアルコール、ラウリルアルコール、パルミチルアルコール、イソステアリルアルコールなど）、脂肪族不飽和１価アルコール（例えば、オレイルアルコールなど）］
（ｘ２）炭素数１〜２４の脂肪族多価（２〜６価）アルコ−ルまたはその縮合物［例えば、１，６−ヘキサンジオール、ネオペンチルグリコール、グリセリン、トリメチロールプロパン、ペンタエリスリトール、ソルビトール、ソルビタンなど）］
【００４４】
（Ｂ４−１）を構成するＡＯとしては、炭素数２〜８のＡＯ（ＥＯ、ＰＯ、およびブチレンオキサイドなど）が挙げられる。
これらのうち好ましいものは、ＥＯ、ＰＯであり。付加形式はランダム、ブロックのいずれでもよいが、付加モル数は、好ましくは１〜５０モルであり、より好ましくは１〜３０モルであり、さらに好ましくは１〜２０モルである。これより付加モル数が多くなるとベースオイル（Ａ）への溶解性が低下するため好ましくない。
【００４５】
（Ｂ４−１）を構成するアルキル基としては、炭素数が１〜２４の飽和または不飽和のアルキル基が挙げられる。このアルキル基は、パーム油、牛脂、なたね油、米糠油、魚油などの天然油脂由来のものでも、合成系のものでもよい。
【００４６】
（Ｂ４−２）を構成するカルボン酸としては、以下のものが挙げられる。
（ａ１）炭素数１〜２４の脂肪族モノカルボン酸［脂肪族飽和モノカルボン酸（例えば、蟻酸、エタン酸、プロピオン酸、ラウリン酸、パルミチン酸、ステアリン酸、イソステアリン酸、イソアラキン酸など）、脂肪族不飽和モノカルボン酸（例えば、オレイン酸、エルシン酸など）］；
（ａ２）炭素数１〜２４の脂肪族ジカルボン酸［脂肪族炭化水素系飽和ジカルボン酸（例えば、アジピン酸、エライジン酸など）］；が挙げられる。
また、（Ｂ４−２）を構成する炭素数８〜３２の高級アルコールとしては以下のものが挙げられる。
（ｘｘ１）炭素数８〜３２の脂肪族１価アルコ−ル［脂肪族飽和１価アルコール（例えば、オクチルアルコール、２−エチルヘキシルアルコール、ラウリルアルコール、パルミチルアルコール、イソステアリルアルコールなど）、脂肪族不飽和１価アルコール（例えば、オレイルアルコールなど）］
（ｘｘ２）炭素数３〜２４の脂肪族多価（２〜６価）アルコ−ルまたはその縮合物［例えば、１，６−ヘキサンジオール、ネオペンチルグリコール、グリセリン、トリメチロールプロパン、ペンタエリスリトール、ソルビトール、ソルビタンなど）］
（ｘｘ３）脂肪族アルコール（ｘ１）ＡＯ付加物
（ｘｘ４）脂肪族多価アルコール（ｘ２）ＡＯ付加物
（ｘｘ５）ポリアルキレングリコール
【００４７】
これらノニオン界面活性剤（Ｂ４）うち、好ましいものの具体例としては、多価アルコール脂肪酸エステルＡＯ付加物（例えば、ポリオキシエチレングリセリンジオレエ−ト、ポリオキシエチレンソルビタントリオレエ−ト等）、ヒマシ油ＥＯ付加物、硬化ヒマシ油ＥＯ付加物；（ａ１）と（ｘｘ１）からなるエステル（例えば、２−エチルヘキシルステアレート、イソデシルステアレート、イソステアリルオレート、イソエイコシルステアレート、イソエイコシルオレート、イソテトラコシルオレート、イソアラキジルオレート、イソステアリルパルミテート、オレイルオレートなど）；（ａ１）と（ｘｘ２）からなるエステル（例えば、グリセリンジオレエート、ペンタエリスリトールテトラオレエートなど）；（ａ２）と（ｘ１）からなるエステル（例えば、ジオレイルアジペート、ジイソトリデシルアジペート等のアジピン酸エステルなど）；（ａ１）と（ｘｘ３）からなるエステル［例えば、ＥＯ２モル付加したドバノ−ル２３（三菱化学株式会社製の合成アルコ−ル）とラウリン酸とのエステル、ＰＯ２モル付加したイソトリデシルアルコ−ルとラウリン酸とのエステル、ＥＯ２モル付加したドバノ−ル２３とアジピン酸とのジエステル］；（ａ１）と（ｘｘ５）からなるエステル［例えば、ポリエチレングリコールモノ（ジ）ステアレート、ポリエチレングリコールのモノ（ジ）オレエートなど］；（ｘｘ３）（例えば、ラウリルアルコールのＥＯ７など）；などが挙げられる。
【００４８】
本発明において、これら界面活性剤（Ｂ）のうち好ましいものは，アニオン界面活性剤（Ｂ１）、両性界面活性剤（Ｂ３）およびノニオン界面活性剤（Ｂ４）であり、より好ましいものはアニオン界面活性剤（Ｂ１）、ノニオン界面活性剤（Ｂ４）である。より好ましいものの具体例としては、ラウリルアルコールカルボキシメチル化ナトリウム塩、トリデカノールカルボキシメチル化ナトリウム塩、ラウリルアルコールＥＯ２モル付加物のカルボキシメチル化物のナトリウム塩、ミリスチルアルコールＥＯ３モル付加物のカルボキシメチル化物のナトリウム塩、スルホコハク酸ラウリルジナトリウム塩、オクチルベンゼンスルホン酸ナトリウム塩、ロート油、硫酸化牛脂、硫酸化落花生油、硫酸化オレイン酸ブチル塩、硫酸化リシノレイン酸ブチル塩、ラウリルアルコールリン酸モノエステルモノカリウム塩、ラウリルアルコールリン酸ジエステルジカリウム塩、イソステアリルアルコールのＥＯ５モル付加物のリン酸モノエステルカリウム塩、イソステアリルアルコールのＥＯ５モル付加物のリン酸ジエステルジカリウム塩、ステアリルアルコールのリン酸エステルカリウム塩 、イソステアリルアルコールのオレイン酸エステル、ソルビタンのステアリン酸エステル（例えば、ソルビタントリステアレート等）、ソルビタンのラウリル酸エステル(例えば、ソルビタンモノラウレート等）、ソルビタンのオレイン酸エステル(例えば、ソルビタンモノオレエート等）、ソルビタンのパルミチン酸エステル(例えば、ソルビタンモノパルミテート等)、ペンタエリスリトールのオレイン酸エステル（例えば、ペンタエリスリトールテトラオレエート等）、ペンタエリスリトールのカプリル酸エステル、ソルビタンモノオレエートＥＯ２０モル付加物、ソルビタンモノパルミテートＥＯ２０モル付加物、ポリエチレングリコールモノオレエート、ポリエチレングリコールジオレエート、ラウリルアルコールＥＯ７モル付加物などが挙げられる。
【００４９】
界面活性剤（Ｂ）の配合量（重量％）は、洗浄工程での油剤の脱落性の観点から、ベースオイル（Ａ）と（Ｂ）の合計重量に基づいて、好ましくは０．５〜４０であり、平滑性、潤滑性の観点から、さらに好ましくは１０〜２５、特に好ましくは１５〜２５である。
【００５０】
また（Ｂ）は、（Ａ）と配合する前、あるいは配合した後に、例えばキヨーワード６００（協和化学工業（株）製）などの吸着剤で吸着処理することによって含まれる触媒を除去したものでも、特開昭５６−１１２９３１号公報、特公平２−５３４１７号公報に記載のようなオキシカルボン酸（乳酸）などを用いて中和処理したもの、もしくは触媒がそのまま残留したものでもよい。
【００５１】
本発明の潤滑剤組成物に、必要により、消泡剤、防腐剤、および防錆剤などの薬剤を配合して用いても良い。また潤滑剤は性能を損なわない程度の水を含んでいても良いが、好ましくは１０重量％以下、より好ましくは（Ａ）と（Ｂ）との相溶性の観点から、０．１〜５重量％である。
【００５２】
以下実施例により本発明をさらに詳細に説明するが本発明はこれに限定されるものではない。実施例中、「部」は重量部を示す。
＜実施例＞
【００５３】
[実施例１]〜[実施例７]、[比較例１]〜[比較例４]
表１に示す組成比で各成分を、室温（２５℃）下で配合し、本願発明の潤滑剤[１]〜[７]、および比較潤滑剤[１]〜[４]を得た。
【表１】
2005264142.tif 000008
【００５４】
[実施例]および[比較例]に使用した、各構成成分を以下に示す。
（ａ１）ダイアナプロセスオイルＰＷ−３８０（出光興産（株）製）
（ａ２）タービンＮｏ．５６（（株）ジャパンエナジー製）
（ａ３）タービンＮｏ．３２（（株）ジャパンエナジー製）
（ａ４）プラストール２１０５（エクソンモービル社製）
（ａ５）ダイアナプロセスオイル  ＡＨ−１６（出光興産（株）製）
（ｂ１）ソルビタンのオレイン酸エステル
（ｂ２）ペンタエリスリトールのカプリル酸エステル
（ｂ３）ポリエチレングリコールのオレイン酸エステル
（ｂ４）ソルビタンのオレイン酸エステルＥＯ２０モル付加物
（ｂ５）ラウリルアルコールＥＯ７モル付加物
（ｂ６）ステアリルアルコールのリン酸エステルカリウム塩
【００５５】
＜試験方法＞
潤滑剤を０．６％ｏ．ｗ．ｆ．、エーテル溶液により全含浸したポリエステルを水洗  い及び湯洗いし、ＪＩＳ Ｌ １０９６に従って油脂分を測定した結果を［表２］に示す。
【００５６】
【表２】
2005264142.tif 000009
【産業上の利用可能性】
【００５７】
本発明の潤滑剤は、ポリエステルモノフィラメントの平滑剤およびコイル成型機の潤滑剤を兼ねるものであり、ファスナー用ポリエステルモノフィラメントのコイル成型に最適である。